(57)【要約】      （修正有）【課題】屋内のホテルのパーティー会場、屋外のアトラクション会場で使用する組立式カウンターおいて、組み立てが容易で、且つ各種構築部品の収納運搬に便利な構造を提供する。【解決手段】カウンター面を形成する細長天板２で上方開口部１１１を開口可能に塞ぐと共に、外側面を仕切腰板に形成した少なくとも２個の腰板箱１ｂを、並列状態で一端縁の対向個所をヒンジ構造で連結すると共にキャスターを設けて、少なくともＬ状配置まで開口可能とし、カウンターの構築部品（コーナー部材、脚枠、作業台４２、シンク、足元台４４、支柱５１、棚台５３、その他の構築部品）を腰板箱内に収納してなる構成とした。【選択図】図３
2016202731.tif 000002
【特許請求の範囲】
【請求項１】
カウンター面を形成する細長天板で上面開口部を開口可能に塞ぐと共に、外側面を仕切腰板に形成した少なくとも２個の腰板箱を、並列状態で一端縁の対向個所をヒンジ構造で連結すると共にキャスターを設けて、少なくともＬ状配置まで開口可能とし、カウンターの構築部品を前記腰板箱内に収納してなることを特徴とする組立式カウンター。
【請求項２】
一方の腰板箱の対向面に、折畳可能にヒンジ連結した脚枠を設けると共に、構築部品として、回動突出させた脚枠に装着する作業台を備えてなる請求項１記載の組立式カウンター。
【請求項３】
作業台にシンク装着孔を形成すると共に、構築部品として前記シンク装着孔に嵌合装着可能としたシンク、及びシンクへの給水機構部品、排水機構部品を備えてなる請求項２記載の組立式カウンター。
【請求項４】
腰板箱におけるヒンジ連結端面に、縦細溝を所定間隔で穿設すると共に、構築部品として四分の一円弧断面で前記縦細溝への係止突片を備えたコーナー外側板と、四分の一円板のコーナー天板とを備えてなる請求項１乃至３記載の何れかの組立式カウンター。
【請求項５】
細長天板の上面両端箇所に支柱用透孔を形成すると共に、腰板箱における前記支柱用透孔と対応する箇所に支柱装着部を設け、構築部品として前記支柱用透孔を挿通して支柱装着部に装着可能な複数の支柱と、支柱間を連結する横杆と、支柱間に架設可能に設けた棚部材を備えてなる請求項１乃至４記載の何れかの組立式カウンター。
【請求項６】
構築部品として、両側に係止舌片を舌設した連結具を備え、腰板箱におけるヒンジ連結端と反対側端面に連結用穴部を形成し、前記穴部内に連結平面を形成すると共に、前記連結具の係止舌片と対応して箱端面と平行な係止細溝を設け、脚枠における下方横杆の上面と前記脚枠の下方横杆が添う腰板箱の内側に、前記連結具の係止舌片と対応して箱端面と平行な係止細溝を設けてなる請求項１乃至５記載の何れかの組立式カウンター。
【発明の詳細な説明】
【技術分野】
【０００１】
本発明は、屋内のホテルのパーティー会場、屋外のアトラクション会場などに、簡易に組み立てて設置することができる組立式カウンターに関するものである。
【背景技術】
【０００２】
屋内のホテルのパーティー会場、屋外のアトラクション会場に使用するものとして組立式屋台が知られている。これらの組立式屋台は、必要に応じて設置し、且つ撤去する必要があるので、簡易に組立・分解が可能であることが必要である。
【０００３】
例えば特許文献１（登録実用新案第３０１９６８０号公報）には、床面に配置する台板の凹溝に腰板を配置し、天板を腰板上面で支持し、天板に設けた支柱穴に支柱を挿通して下方台板の嵌合孔に支柱を嵌合して、全体の基本構造を組み上げている組立式屋台が開示されている。
【０００４】
また特許文献（特開２００４−２７０１３８号公報）には、正面腰板と左右側面腰板を抜き差し蝶番で連結し、その四隅に角パイプを立て、角パイプの中間、上端に横支柱や桁材で連結する構造の組立式屋台が開示されている。
【先行技術文献】
【特許文献】
【０００５】
【特許文献１】登録実用新案第３０１９６８０号公報。
【特許文献２】特開２００４−２７０１３８号公報。
【発明の概要】
【発明が解決しようとする課題】
【０００６】
前記した組立式屋台は、基本的に必要とする支柱材、梁材、作業台等の各部材がバラバラで、これを適宜組み立てるものであるが、収納・運搬を考慮すると、各部材がバラバラであることは好ましくない。
【０００７】
また屋台として腰板と作業台が必要であれば良いが、例えば室内での調理コーナーを形成するような際には、屋台ではなくカウンター構造体でも十分である場合も想定される。
【０００８】
そこで本発明は、屋台構造に近く屋台としても対応できるＬ状カウンターを基本とした組立式カウンターを提案したものである。
【課題を解決するための手段】
【０００９】
本発明の請求項１記載に係る組立式カウンターは、カウンター面を形成する細長天板で上面開口部を開口可能に塞ぐと共に、外側面を仕切腰板に形成した少なくとも２個の腰板箱を、並列状態で一端縁の対向個所をヒンジ構造で連結すると共にキャスターを設けて、少なくともＬ状配置まで開口可能とし、カウンターの構築部品を前記腰板箱内に収納してなることを特徴とする。
【００１０】
而して前記の組立式カウンターは、カウンターを組み上げる構築部品の全てを腰板箱内に収納されており、腰板箱を設置場所に運搬し、当該設置場所で並列する腰板箱をＬ状に配置し或いは直線に配置すると共に、細長天板を外した上面開口部から腰板箱収納の当該カウンターの設備として必要とする構築部品を取出し、前記構築部品を使用してカウンターを形成するものである。前記カウンターは、腰板箱の外側面がカウンターの仕切腰板となり、構築部品を取り出した上方開口部を塞いだ細長天板がカウンターテーブルとなるものである。更に分解収納時には、各構築部品がバラバラに分離することなく収納して撤去することができるものである。
【００１１】
また本発明の請求項２記載に係る組立式カウンターは、特に一方の腰板箱の対向面に、折畳可能にヒンジ連結した脚枠を設けると共に、構築部品として、回動突出させた脚枠に装着する作業台を備えてなり、請求項３記載の組立式カウンターは、更に作業台にシンク装着孔を形成すると共に、構築部品として前記シンク装着孔に嵌合装着可能としたシンク、及びシンクへの給水機構部品、排水機構部品を備えてなるものである。
【００１２】
而してカウンターの組立に際して、脚枠を回動して腰板箱の内側に突出させ、作業台を載置装着することで、内側に作業台を備えたカウンターを構築することができ、特に作業台にシンク機構を付設することができる。
【００１３】
また本発明の請求項４記載に係る組立式カウンターは、腰板箱におけるヒンジ連結端面に、縦細溝を所定間隔で穿設すると共に、構築部品として四分の一円弧断面で前記縦細溝への係止突片を備えたコーナー外側板と、四分の一円板のコーナー天板とを備えてなるもので、特に腰板箱をＬ状に配置してカウンターを形成する際に、コーナーに形成される凹部に弧状湾曲面を備えたコーナー外側板を装着すると、両辺の外側板が連続する形態に形成され、カウンターテーブルも連続する形態に形成される。
【００１４】
また本発明の請求項５記載に係る組立式カウンターは、細長天板の上面両端箇所に支柱用透孔を形成すると共に、腰板箱における前記支柱用透孔と対応する箇所に支柱装着部を設け、構築部品として前記支柱用透孔を挿通して支柱装着部に装着可能な複数の支柱と、支柱間を連結する横杆と、支柱間に架設可能に設けた棚部材を備えてなるもので、細長天板の両側から起立した支柱と、支柱間を連結する横杆と棚部材の架設で、棚が形成され、当該棚部分をカウンター側面部分とすると、正面がカウンターテーブルと、側面が器具などの収納箇所の棚となるカウンターが形成されるものである。
【００１５】
また本発明の請求項６記載に係る組立式カウンターは、特に構築部品として、両側に係止舌片を舌設した連結具を備え、腰板箱におけるヒンジ連結端と反対側端面に連結用穴部を形成し、前記穴部内に連結平面を形成すると共に、前記連結具の係止舌片と対応して箱端面と平行な係止細溝を設け、脚枠における下方横杆の上面と前記脚枠の下方横杆が添う腰板箱の内側に、前記連結具の係止舌片と対応して箱端面と平行な係止細溝を設けてなるものである。
【００１６】
前記の連結具を使用しての連結固定は、回動開口した脚枠と腰板箱との連結や、特にカウンター構成をコの字状に形成するために、各一対の腰板箱からなるカウンター部材二組を使用する際に、連結延長する隣接する各腰板箱に設けた連結用穴部の係止細溝と連結具を使用して二組をカウンター部材の連結を行うものである。
【発明の効果】
【００１７】
本発明の構成は上記のとおりで、カウンターを組み上げるカウンター部材としてヒンジ連結した腰板箱を一単位して使用し、細長天板がカウンターテーブルの役目を果たし腰板箱の外側板がカウンター腰板として機能すると共に、その他の必要とする構築部品を箱内に収納することで運搬収納に便利なものとして、且つ組立作業も容易としたものである。
【図面の簡単な説明】
【００１８】
【図１】本発明の実施形態の全体図（組立後状態）。
【図２】同一対の腰板箱のカウンター部材（部品収納時）。
【図３】同図（部品収納状態の説明図）。
【図４】同コーナー部材の説明図。
【図５】同脚枠の収納から開口動作の説明図。
【図６】同作業台の装着状態の全体図。
【図７】同シンク取り付け状態の説明図。
【図８】同連結具の斜視図。
【図９】同脚枠と腰板箱本体の連結構造の説明図。
【図１０】同カウンター部材（腰板箱）連結構造を示し（イ）は連結前斜視図（ロ）連結時断面図。
【図１１】同棚部材の説明図
【図１２】同別例のカウンター組上状態の全体斜視図。
【発明を実施するための形態】
【００１９】
次に本発明の実施形態について説明する。本発明の組立式カウンターは、単一或いは複数のカウンター部材を使用して構築するもので、図１に示した例は、カウンター部材を二組（Ａ，Ｂ）を使用して形成したものである。
【００２０】
一組のカウンター部材Ａは、腰板箱１ａ，１ｂと、腰板箱１ａ，１ｂの上方開口部１１１を塞ぐカウンター面（カウンターテーブル）となる細長天板２と、腰板箱１ａ，１ｂ内に収納され、又は付設する各種の構築部品で構成される。
【００２１】
構築部品の例としては、コーナー部材３、作業台構築部材４、棚部材５、連結具６を備えているものである。
【００２２】
腰板箱１ａ，１ｂは、１個が長さ約９０ｃｍ、高さ約１３０〜１１０ｃｍ、幅（奥行き）１５〜２０ｃｍ程度を基準とする大きさで、前記の大きさは屋内設置に対応しやすく、且つ取扱いに適する大きさである。
【００２３】
この腰板箱１ａ，１ｂは、箱状本体１１を並列状態で一端縁の対向個所をヒンジ構造で、ブレーキ付キャスター１２を備え、Ｌ状配置又は直線状配置まで開口可能に連結し、並列状態における外側面を仕切腰板（化粧ステンレス板等）１３に形成したものである。
【００２４】
また箱状本体１１におけるヒンジ連結端面１１２の外側面の近傍側に、縦細溝１１３を所定間隔で穿設すると共に、反対側端面には、連結用穴部１１４を形成し、前記穴部１１４内に連結平面１１５を形成すると共に、後述する連結具６の係止舌片６３と対応して、前記箱状本体１１の端面と平行な係止細溝１１６を設けたものである。また一方の腰板箱１ａの上部には、後述する支柱用透孔２１に対応する箇所に支柱装着部１１７を設けてなる。
【００２５】
細長天板２は、前記のとおり、腰板箱１ａ，１ｂの上方開口部１１１を塞ぐもので、カウンターテーブルとなるので、木質材で表面を化粧材としたものが好ましく、裏面に突出部を設けて上方開口部１１１に対して嵌合装着する構造でも、或いは煽り回動開閉可能にヒンジ連結する構造でも良い。更に前記細長天板２の上面両端箇所に支柱用透孔２１を形成するものである。
【００２６】
コーナー部材３は、コーナー外側板３１とコーナー天板３２からなり、コーナー外側板３１は、四分の一円弧断面で前記した縦細溝１１３への係止舌片３３を備えたものであり、コーナー天板は３２、コーナー外側板３１を係止装着した後に当該コーナー部分に載置装着するもので、細長天板２と共にカウンターテーブルの一部を構成するものである。
【００２７】
作業台構築部材４としては、脚枠４１と、作業台４２と、シンク４３と、足元台４４と、給水機構部品及び排水機構部品を備えたものである。
【００２８】
脚枠４１は、設置床面から７０〜８０ｃｍの高さとなる大きさの枠状に形成された一対で、一方の腰板箱１ｂの内側面（対向面）に、両開き扉のように折畳可能にヒンジ連結し、下方へ出没自在に組み込んだ足部４１１を付設し、下枠４１２の上面に連結用細溝４１３を設けたものである。
【００２９】
作業台４２は、シンク装着用透孔を設けたもので、脚枠４１の上枠４１４に架設装着したものである。またシンク４３は排水孔を設けた容器形状で、前記シンク装着用透孔に嵌合装着する。足元台４４は、下枠４１２上に載置装着するものである。
【００３０】
また給水機構部品及び排水機構部品は、給水タンクａ及び排水タンクｂ以外の配管器具は腰板箱１ａ，１ｂ内に収納しておくことができるが、給水タンクａ及び排水タンクｂは、軽量で且つ壮途の容量を必要とするので、収納構築部品とはしない。尚給排水作業を要しない場合には、図１に示すような平板状の作業台４２ａを採用する。
【００３１】
棚部材５としては、支柱５１と、棚受け５２と、棚台５３と、横杆５４を備え、支柱５１は、前記した支柱用透孔２１を挿通して支柱装着部１１７に連結した大きさで、周面に多段に係止細溝５１１を設けてなる。棚受け５２は背面の装着部５２１と上方の載置部５２２を備えた逆Ｌ状部材で、装着部に５２１には背面に前記係止細溝５１１に係止する係止舌片５２３を設け、載置部５２２には、係止細溝５２４を形成したものである。
【００３２】
また棚台５３は、支柱５１を立設する間隔と対応したもので、両端に係止細溝５２４に装着する係止舌片５３１を設けたものである。横杆５４は、支柱５１間を連結するもので、必要に応じて継ぎ足し可能な構造を備える。
【００３３】
連結具６は、構築部品等の連結に使用するもので、中間にリブ突部６１を設けた平板部６２の両側片に係止舌片６３を架設したものである。
【００３４】
次に前記の各構築部材を備えた組立式カウンターの組立作業について説明する。設置場所に運搬するカウンター部材は、設置形式によって複数組が採用され、且つ設置形式に応じて必要とする構築部材を、各カウンター部材の腰板箱１ａ，１ｂ内に収納しているものである。
【００３５】
運搬されてきたカウンター部材Ａ，Ｂの各細長天板２を上方開口部１１１から離脱させ、構築部材を引き出し、また腰板箱１ａ，１ｂを開口して対向面の開口個所から取り出す。
【００３６】
腰板箱１ａ，１ｂは、Ｌ状に配置してキャスター１２のブレーキを掛け、コーナーに形成される凹部に、係止舌片３３を縦細溝１１３に差し入れてコーナー外側板３１を装着する（図４）。これに伴い細長天板２で上方開口部１１１を塞ぎ、コーナー天板３２をコーナー外側板３１上に載置装着すると、Ｌ状のカウンターテーブルを備えたカウンターが形成される。
【００３７】
作業用構造体を構築するには、折り畳まれている脚枠４１を回動して引出し、下枠４１２と箱状本体１１の底面内縁とを、各連結用細溝４１３（箱状本体側については図示していない）に、係止舌片６３を差し入れて、連結具６で連結固定する。同時に作業台４２を上枠４１４に載置固定し、下枠４１２間には足元台４４を架設装着し、シンク４３を作業台４２に装着し、給排水機構部品で所定の配管を行う。
【００３８】
Ｌ状に固定された腰板箱１ａ，１ｂの内、側面カウンターとなる腰板箱１ａの支柱装着部１１７に、支柱用透孔２１を挿通して支柱５１を立設し、支柱５１の所望位置に係止細溝５１１と係止舌片５２３の挿入係止で棚受け５２を装着し、棚受け５２間に棚台５３を溝と舌片の組み合わせで係止して架設し、更に横杆５４を架設する。
【００３９】
このように組み上げたＬ状カウンター（カウンター部材Ａ）は、図１に示すように他のＬ状カウンター（カウンター部材Ｂ）と連結してコの字状のカウンターとするこができる。
【００４０】
カウンター部材Ａ，Ｂの各腰板箱間の連結は、図１０に示すように、隣接する連結用穴部１１４内の係止細溝１１６に連結具６を装着して連結するものである。更に延長連結した横杆５４で連結補強する。
【００４１】
また本発明は、前述した二組のカウンター部材Ａ，Ｂの組み合わせ以外にも、例えば図１２に示すように、複数のカウンター部材Ａ，Ｂ，Ｃ，Ｄを使用し、所望の様式となる各種の構築部品を用意することで任意のカウンターを形成できるものである。
【００４２】
このように単一または複数のカウンター部材を採用して任意形態のカウンターを構築できると共に、カウンターを構成するヒンジ連結した腰板箱１ａ，１ｂ内に必要とする構築部品を収納してなるものであるから、運搬収納に便利で、且つ組立作業も容易としたものである。勿論屋外設置で且つ適宜な屋根部材を準備しておくと、屋外屋台としても使用できるものである。
【符号の説明】
【００４３】
１ａ，１ｂ    腰板箱
１１    箱状本体
１１１    上方開口部
１１２    ヒンジ連結端面
１１３    縦細溝
１１４    連結用穴部
１１５    連結平面
１１６    係止細溝
１１７    支柱装着部
１２    ブレーキ付キャスター
１３    仕切腰板
２      細長天板
２１    支柱用透孔
３      コーナー部材
３１    コーナー外側板
３２    コーナー天板
３３    係止舌片
４      作業台構築部材
４１    脚枠
４１１    足部
４１２    下枠
４１３    連結用細溝
４１４    上枠
４２，４２ａ  作業台
４３    シンク
４４    足元台
５      棚部材
５１    支柱
５１１    係止細溝
５２    棚受け
５２１    装着部
５２２    載置部
５２３    係止舌片
５２４    係止細溝
５３    棚台
５３１    係止舌片
５４    横杆
６      連結具
６１    リブ突部
６２    平板部
６３    係止舌片
【図１】
2016202731.tif 000003
【図２】
2016202731.tif 000004
【図３】
2016202731.tif 000005
【図４】
2016202731.tif 000006
【図５】
2016202731.tif 000007
【図６】
2016202731.tif 000008
【図７】
2016202731.tif 000009
【図８】
2016202731.tif 000010
【図９】
2016202731.tif 000011
【図１０】
2016202731.tif 000012
【図１１】
2016202731.tif 000013
【図１２】
2016202731.tif 000014
【手続補正書】
【提出日】平成28年8月19日(2016.8.19)
【手続補正１】
【補正対象書類名】特許請求の範囲
【補正対象項目名】全文
【補正方法】変更
【補正の内容】
【特許請求の範囲】
【請求項１】
外側面を仕切腰板に形成した２個のカウンター本体を構成する幅１５〜２０ｃｍの各細長箱状本体の上面開口部に、各々カウンター面を構成する細長天板を開口可能に塞ぐように装着すると共に、前記箱状本体を仕切腰板を両外側となるような並列状態で一端縁の対向個所をヒンジ構造で連結し、下面にキャスターを設けて、少なくともＬ状配置まで開口可能とし、一方のカウンター本体の対向面に折畳可能にヒンジ連結した脚枠を設け、回動突出させた脚枠に装着する作業台と、上方開口部から出し入れ可能に収納してなることを特徴とする組立式カウンター。
【請求項２】
一方の細長天板の上面両端箇所に支柱用透孔を形成すると共に、箱状本体における前記支柱用透孔と対応する箇所に支柱装着部を設け、前記支柱用透孔を挿通して支柱装着部に装着可能な複数の支柱と、支柱間を連結する横杆と、支柱間に架設可能に設けた棚部材からなる構築部品を箱状本体の上方開口部から出し入れ可能に収納してなる請求項１記載の組立式カウンター。
【請求項３】
カウンター本体の連結端面における外側縁に添って、縦細溝を所定間隔で穿設し、箱状本体に収納できる構築部品として、四分の一円弧断面で前記縦細溝への係止突片を備えたコーナー外側板と、四分の一円板のコーナー天板を備えてなる請求項１又は２記載の組立式カウンター。
【請求項４】
箱状本体に収納される構築部品として、両側に係止舌片を下設した複数の連結具を備え、箱状本体におけるヒンジ連結端と反対側端面に連結用穴部を形成し、前記穴部内に連結平面を形成すると共に、前記連結具の係止舌片と対応して箱状本体の端面と平行な係止細溝を設け、脚枠における下方横杆の上面と前記脚枠の下方横杆が添う箱状本体の内側に、前記連結具の係止舌片と対応して箱状本体の端面と平行な係止細溝を設けてなる請求項１又は２記載の組立式カウンター。
【請求項５】
作業台にシンク装着孔を形成すると共に、構築部品として箱状本体内に収納される大きさで、且つ前記シンク装着孔に嵌合装着可能としてたシンク、及びシンクへの給水機構部品、排水機構部品を備えてなる請求項１乃至４記載の何れかの組立式カウンター。
【手続補正２】
【補正対象書類名】明細書
【補正対象項目名】全文
【補正方法】変更
【補正の内容】
【発明の詳細な説明】
【技術分野】
【０００１】
本発明は、屋内のホテルのパーティー会場、屋外のアトラクション会場などに、簡易に組み立てて設置することができる組立式カウンターに関するものである。
【背景技術】
【０００２】
屋内のホテルのパーティー会場、屋外のアトラクション会場に使用するものとして組立式屋台が知られている。これらの組立式屋台は、必要に応じて設置し、且つ撤去する必要があるので、簡易に組立・分解が可能であることが必要である。
【０００３】
例えば特許文献１（登録実用新案第３０１９６８０号公報）には、床面に配置する台板の凹溝に腰板を配置し、天板を腰板上面で支持し、天板に設けた支柱穴に支柱を挿通して下方台板の嵌合孔に支柱を嵌合して、全体の基本構造を組み上げている組立式屋台が開示されている。
【０００４】
また特許文献（特開２００４−２７０１３８号公報）には、正面腰板と左右側面腰板を抜き差し蝶番で連結し、その四隅に角パイプを立て、角パイプの中間、上端に横支柱や桁材で連結する構造の組立式屋台が開示されている。
【先行技術文献】
【特許文献】
【０００５】
【特許文献１】登録実用新案第３０１９６８０号公報。
【特許文献２】特開２００４−２７０１３８号公報。
【発明の概要】
【発明が解決しようとする課題】
【０００６】
前記した組立式屋台は、基本的に必要とする支柱材、梁材、作業台等の各部材がバラバラで、これを適宜組み立てるものであるが、収納・運搬を考慮すると、各部材がバラバラであることは好ましくない。
【０００７】
また屋台として腰板と作業台が必要であれば良いが、例えば室内での調理コーナーを形成するような際には、屋台ではなくカウンター構造体でも十分である場合も想定される。
【０００８】
そこで本発明は、屋台構造に近く屋台としても対応できるＬ状カウンターを基本とした組立式カウンターを提案したものである。
【課題を解決するための手段】
【０００９】
本発明の請求項１記載に係る組立式カウンターは、外側面を仕切腰板に形成した２個のカウンター本体を構成する幅１５〜２０ｃｍの各細長箱状本体の上面開口部に、カウンター面を構成する細長天板を開口可能に装着すると共に、前記箱状本体を並列状態で一端縁の対向個所をヒンジ構造で連結し、下面にキャスターを設けて、少なくともＬ状配置まで開口可能とし、且つ前記カウンター本体のヒンジ連結端面における外側縁に添って、縦細溝を所定間隔で穿設し、一方のカウンター本体の対向面に折畳可能にヒンジ連結した脚枠を設け、構築部品となる四分の一円弧断面で前記縦細溝への係止突片を備えたコーナー外側板と、四分の一円板のコーナー天板と、回動突出させた脚枠に装着する作業台とを、上方開口部から出し入れ可能に収納してなることを特徴とするものである。
【００１０】
而して前記の組立式カウンターは、カウンターを組み上げる構築部品の全てをカウンター本体を構成する箱状本体内に収納されており、カウンター本体を設置場所に運搬し、当該設置場所で並列するカウンター本体をＬ状に配置し或いは直線に配置すると共に、細長天板を外した上面開口部から箱状本体内に収納の当該カウンターの設備として必要とする構築部品を上方開口部から取出し、前記構築部品を使用してカウンターを形成するものである。前記カウンターは、箱状本体の外側面がカウンターの仕切腰板となり、構築部品を取り出した上方開口部を塞いだ細長天板がカウンターテーブルとなるものである。
【００１１】
また特にカウンターの組立に際して、脚枠を回動してカウンター本体の内側に突出させ、作業台を装着することで内側に作業台を備えたカウンターを構築することができ、更にカウンター本体をＬ状に配置してカウンターを形成する際に、コーナーに形成される凹部に弧状湾曲面を備えたコーナー外側板を装着すると、両辺の外側板が連続する形態に形成され、カウンターテーブルも連続する形態に形成される。そして分解収納時には、前記の各構築部品がバラバラに分離することなく収納して撤去することができるものである。
【００１２】
また本発明の請求項２記載に係る組立式カウンターは、細長天板の上面両端箇所に支柱用透孔を形成すると共に、カウンター本体における前記支柱用透孔と対応する箇所に支柱装着部を設け、構築部品として前記支柱用透孔を挿通して支柱装着部に装着可能な複数の支柱と、支柱間を連結する横杆と、支柱間に架設可能に設けた棚部材を備えてなるもので、細長天板の両側から起立した支柱と、支柱間を連結する横杆と棚部材の架設で、棚が形成され、当該棚部分をカウンター側面部分とすると、正面がカウンターテーブルと、側面が器具などの収納箇所の棚となるカウンターが形成されるものである。
【００１３】
また本発明の請求項３記載に係る組立式カウンターは、特に構築部品として、両側に係止舌片を舌設した連結具を備え、カウンター本体におけるヒンジ連結端と反対側端面に連結用穴部を形成し、前記穴部内に連結平面を形成すると共に、前記連結具の係止舌片と対応して箱端面と平行な係止細溝を設け、脚枠における下方横杆の上面と前記脚枠の下方横杆が添うカウンター本体の内側に、前記連結具の係止舌片と対応して箱端面と平行な係止細溝を設けてなるものである。
【００１４】
前記の連結具を使用しての連結固定は、回動開口した脚枠とカウンター本体との連結や、特にカウンター構成をコの字状に形成するために、各一対のカウンター本体からなるカウンター部材二組を使用する際に、連結延長する隣接する各カウンター本体に設けた連結用穴部の係止細溝と連結具を使用して二組をカウンター部材の連結を行うものである。
【発明の効果】
【００１５】
本発明の構成は上記のとおりで、カウンターを組み上げるカウンター部材としてヒンジ連結したカウンター本体を一単位して使用し、細長天板がカウンターテーブルの役目を果たし、カウンター本体の外側板がカウンター腰板として機能すると共に、その他の必要とする構築部品を箱内に収納することで運搬収納に便利なものとして、且つ組立作業も容易としたものである。
【図面の簡単な説明】
【００１６】
【図１】本発明の実施形態の全体図（組立後状態）。
【図２】同一対のカウンター本体のカウンター部材（部品収納時）。
【図３】同図（部品収納状態の説明図）。
【図４】同コーナー部材の説明図。
【図５】同脚枠の収納から開口動作の説明図。
【図６】同作業台の装着状態の全体図。
【図７】同シンク取り付け状態の説明図。
【図８】同連結具の斜視図。
【図９】同脚枠とカウンター本体の連結構造の説明図。
【図１０】同カウンター部材（カウンター本体）連結構造を示し（イ）は連結前斜視図（ロ）連結時断面図。
【図１１】同棚部材の説明図。
【図１２】同別例のカウンター組上状態の全体斜視図。
【発明を実施するための形態】
【００１７】
次に本発明の実施形態について説明する。本発明の組立式カウンターは、単一或いは複数のカウンター部材を使用して構築するもので、図１に示した例は、カウンター部材を二組（Ａ，Ｂ）使用して形成したものである。
【００１８】
一組のカウンター部材Ａは、カウンター本体１ａ，１ｂと、カウンター本体１ａ，１ｂの上方開口部１１１を塞ぐカウンター面（カウンターテーブル）となる細長天板２と、カウンター本体１ａ，１ｂ内に収納され、又は付設する各種の構築部品で構成される。
【００１９】
構築部品の例としては、コーナー部材３、作業台構築部材４、棚部材５、連結具６を備えているものである。
【００２０】
カウンター本体１ａ，１ｂは、１個が長さ約９０ｃｍ、高さ約１３０〜１１０ｃｍ、幅（奥行き）１５〜２０ｃｍ程度を基準とする大きさで、前記の大きさは屋内設置に対応しやすく、且つ取扱いに適する大きさである。
【００２１】
このカウンター本体１ａ，１ｂは、箱状本体１１を並列状態で一端縁の対向個所をヒンジ構造で、ブレーキ付キャスター１２を備え、Ｌ状配置又は直線状配置まで開口可能に連結し、並列状態における外側面を仕切腰板（化粧ステンレス板等）１３に形成したものである。
【００２２】
また箱状本体１１におけるヒンジ連結端面１１２の外側面の近傍側に、縦細溝１１３を所定間隔で穿設すると共に、反対側端面には、連結用穴部１１４を形成し、前記穴部１１４内に連結平面１１５を形成すると共に、後述する連結具６の係止舌片６３と対応して、前記箱状本体１１の端面と平行な係止細溝１１６を設けたものである。また一方のカウンター本体１ａの上部には、後述する支柱用透孔２１に対応する箇所に支柱装着部１１７を設けてなる。
【００２３】
細長天板２は、前記のとおり、カウンター本体１ａ，１ｂの上方開口部１１１を塞ぐもので、カウンターテーブルとなるので、木質材で表面を化粧材としたものが好ましく、裏面に突出部を設けて上方開口部１１１に対して嵌合装着する構造でも、或いは煽り回動開閉可能にヒンジ連結する構造でも良い。更に前記細長天板２の上面両端箇所に支柱用透孔２１を形成するものである。
【００２４】
コーナー部材３は、コーナー外側板３１とコーナー天板３２からなり、コーナー外側板３１は、四分の一円弧断面で前記した縦細溝１１３への係止舌片３３を備えたものであり、コーナー天板は３２、コーナー外側板３１を係止装着した後に当該コーナー部分に載置装着するもので、細長天板２と共にカウンターテーブルの一部を構成するものである。
【００２５】
作業台構築部材４としては、脚枠４１と、作業台４２と、シンク４３と、足元台４４と、給水機構部品及び排水機構部品を備えたものである。
【００２６】
脚枠４１は、設置床面から７０〜８０ｃｍの高さとなる大きさの枠状に形成された一対で、一方のカウンター本体１ｂの内側面（対向面）に、両開き扉のように折畳可能にヒンジ連結し、下方へ出没自在に組み込んだ足部４１１を付設し、下枠４１２の上面に連結用細溝４１３を設けたものである。
【００２７】
作業台４２は、シンク装着用透孔を設けたもので、脚枠４１の上枠４１４に架設装着したものである。またシンク４３は排水孔を設けた容器形状で、前記シンク装着用透孔に嵌合装着する。足元台４４は、下枠４１２上に載置装着するものである。
【００２８】
また給水機構部品及び排水機構部品は、給水タンクａ及び排水タンクｂ以外の配管器具はカウンター本体１ａ，１ｂ内に収納しておくことができるが、給水タンクａ及び排水タンクｂは、軽量で且つ壮途の容量を必要とするので、収納構築部品とはしない。尚給排水作業を要しない場合には、図１に示すような平板状の作業台４２ａを採用する。
【００２９】
棚部材５としては、支柱５１と、棚受け５２と、棚台５３と、横杆５４を備え、支柱５１は、前記した支柱用透孔２１を挿通して支柱装着部１１７に連結した大きさで、周面に多段に係止細溝５１１を設けてなる。棚受け５２は背面の装着部５２１と上方の載置部５２２を備えた逆Ｌ状部材で、装着部に５２１には背面に前記係止細溝５１１に係止する係止舌片５２３を設け、載置部５２２には、係止細溝５２４を形成したものである。
【００３０】
また棚台５３は、支柱５１を立設する間隔と対応したもので、両端に係止細溝５２４に装着する係止舌片５３１を設けたものである。横杆５４は、支柱５１間を連結するもので、必要に応じて継ぎ足し可能な構造を備える。
【００３１】
連結具６は、構築部品等の連結に使用するもので、中間にリブ突部６１を設けた平板部６２の両側片に係止舌片６３を架設したものである。
【００３２】
次に前記の各構築部材を備えた組立式カウンターの組立作業について説明する。設置場所に運搬するカウンター部材は、設置形式によって複数組が採用され、且つ設置形式に応じて必要とする構築部材を、各カウンター部材のカウンター本体１ａ，１ｂ内に収納しているものである。
【００３３】
運搬されてきたカウンター部材Ａ，Ｂの各細長天板２を上方開口部１１１から離脱させ、構築部材を引き出し、またカウンター本体１ａ，１ｂを開口して対向面の開口個所から取り出す。
【００３４】
カウンター本体１ａ，１ｂは、Ｌ状に配置してキャスター１２のブレーキを掛け、コーナーに形成される凹部に、係止舌片３３を縦細溝１１３に差し入れてコーナー外側板３１を装着する（図４）。これに伴い細長天板２で上方開口部１１１を塞ぎ、コーナー天板３２をコーナー外側板３１上に載置装着すると、Ｌ状のカウンターテーブルを備えたカウンターが形成される。
【００３５】
作業用構造体を構築するには、折り畳まれている脚枠４１を回動して引出し、下枠４１２と箱状本体１１の底面内縁とを、各連結用細溝４１３（箱状本体側については図示していない）に、係止舌片６３を差し入れて、連結具６で連結固定する。同時に作業台４２を上枠４１４に載置固定し、下枠４１２間には足元台４４を架設装着し、シンク４３を作業台４２に装着し、給排水機構部品で所定の配管を行う。
【００３６】
Ｌ状に固定されたカウンター本体１ａ，１ｂの内、側面カウンターとなるカウンター本体１ａの支柱装着部１１７に、支柱用透孔２１を挿通して支柱５１を立設し、支柱５１の所望位置に係止細溝５１１と係止舌片５２３の挿入係止で棚受け５２を装着し、棚受け５２間に棚台５３を溝と舌片の組み合わせで係止して架設し、更に横杆５４を架設する。
【００３７】
このように組み上げたＬ状カウンター（カウンター部材Ａ）は、図１に示すように他のＬ状カウンター（カウンター部材Ｂ）と連結してコの字状のカウンターとするこができる。
【００３８】
カウンター部材Ａ，Ｂの各カウンター本体間の連結は、図１０に示すように、隣接する連結用穴部１１４内の係止細溝１１６に連結具６を装着して連結するものである。更に延長連結した横杆５４で連結補強する。
【００３９】
また本発明は、前述した二組のカウンター部材Ａ，Ｂの組み合わせ以外にも、例えば図１２に示すように、複数のカウンター部材Ａ，Ｂ，Ｃ，Ｄを使用し、所望の様式となる各種の構築部品を用意することで任意のカウンターを形成できるものである。
【００４０】
このように単一または複数のカウンター部材を採用して任意形態のカウンターを構築できると共に、カウンターを構成するヒンジ連結したカウンター本体１ａ，１ｂ内に必要とする構築部品を収納してなるものであるから、運搬収納に便利で、且つ組立作業も容易としたものである。勿論屋外設置で且つ適宜な屋根部材を準備しておくと、屋外屋台としても使用できるものである。
【符号の説明】
【００４１】
１ａ，１ｂ    カウンター本体
１１    箱状本体
１１１    上方開口部
１１２    ヒンジ連結端面
１１３    縦細溝
１１４    連結用穴部
１１５    連結平面
１１６    係止細溝
１１７    支柱装着部
１２    ブレーキ付キャスター
１３    仕切腰板
２      細長天板
２１    支柱用透孔
３      コーナー部材
３１    コーナー外側板
３２    コーナー天板
３３    係止舌片
４      作業台構築部材
４１    脚枠
４１１    足部
４１２    下枠
４１３    連結用細溝
４１４    上枠
４２，４２ａ  作業台
４３    シンク
４４    足元台
５      棚部材
５１    支柱
５１１    係止細溝
５２    棚受け
５２１    装着部
５２２    載置部
５２３    係止舌片
５２４    係止細溝
５３    棚台
５３１    係止舌片
５４    横杆
６      連結具
６１    リブ突部
６２    平板部
６３    係止舌片